(57)【要約】【課題】無線通信を用いることなく、電子機器に収納された電池の状態を知る。【解決手段】動きを検知するセンシング部１１と、バッテリ残量を測定する測定部１２と、動きを検知したときにバッテリ残量に応じた発光を信号送出部１４に指示する制御部１３と、信号送出部１４の発光を電子機器の電池ケースの外に伝達する情報提示部１５とを備える。これにより、ユーザが電池アダプタ１を使用している電子機器を持ち上げると、電池ケースから露出した情報提示部１５が電池１００のバッテリ残量に応じて発光するので、電池ケースの蓋を開けなくても容易にバッテリ残量を確認することが可能となる。【選択図】図１
2016208612.tif 000002
【特許請求の範囲】
【請求項１】
電池の規格に沿った筐体と、
前記筐体内に電池を収納する電源部と、
柔軟な素材で形成されて前記筐体の外部に露出し、光あるいは電気信号を出力する情報提示部と、
を有することを特徴とする電池アダプタ。
【請求項２】
前記情報提示部は光ファイバであることを特徴とする請求項１記載の電池アダプタ。
【請求項３】
前記電源部の状態を測定する測定部を有し、
前記情報提示部は前記測定部の測定結果に応じた出力を行うことを特徴とする請求項１又は２記載の電池アダプタ。
【請求項４】
センサを有し、
前記情報提示部は前記センサのセンサデータに基づいて出力を開始または停止することを特徴とする請求項１乃至３のいずれかに記載の電池アダプタ。
【発明の詳細な説明】
【技術分野】
【０００１】
本発明は、様々な機能を持つ電池および電池を収納する電池アダプタの技術に関する。
【背景技術】
【０００２】
特許文献１には、電池内に計測部や無線通信機能を備えて、電池が使用されている電子機器の種類や操作状態を識別する電池型ノードが提案されている。また、無線通信によりバッテリ残量を取得できる電池も提案されている。
【０００３】
市販の電子機器に後から機能を追加することは難しいが、上記のような電池を電子機器に使用することで新たな機能を追加することが可能となる。
【先行技術文献】
【特許文献】
【０００４】
【特許文献１】特開２０１３−１７８９３３号公報
【発明の概要】
【発明が解決しようとする課題】
【０００５】
電子機器が電池の残量を提示する機能を備えていない場合、電子機器から電池を取り出すこと無く、電池のバッテリ残量を知ることは難しいという問題があった。
【０００６】
無線通信によりバッテリ残量を取得できる電池を用いた場合、通信のたびに大きな電力を消費してしまうという問題があった。
【０００７】
本発明は、上記に鑑みてなされたものであり、無線通信を用いることなく、電子機器に収納された電池の状態を知ることを目的とする。
【課題を解決するための手段】
【０００８】
本発明に係る電池アダプタは、電池の規格に沿った筐体と、前記筐体内に電池を収納する電源部と、柔軟な素材で形成されて前記筐体の外部に露出し、光あるいは電気信号を出力する情報提示部と、を有することを特徴とする。
【０００９】
上記電池アダプタにおいて、前記情報提示部は光ファイバであることを特徴とする。
【００１０】
上記電池アダプタにおいて、前記電源部の状態を測定する測定部を有し、前記情報提示部は前記測定部の測定結果に応じた出力を行うことを特徴とする。
【００１１】
上記電池アダプタにおいて、センサを有し、前記情報提示部は前記センサのセンサデータに基づいて出力を開始または停止することを特徴とする。
【発明の効果】
【００１２】
本発明によれば、無線通信を用いることなく、電子機器に収納された電池の状態を知ることができる。
【図面の簡単な説明】
【００１３】
【図１】実施例１の電池アダプタの構成を示す機能ブロック図である。
【図２】電池アダプタの処理の流れを示すフローチャートである。
【図３】実施例２の電池アダプタの構成を示す機能ブロック図である。
【図４】実施例５の電池の構成を示す機能ブロック図である。
【図５】イベントを登録する処理の流れを示すフローチャートである。
【発明を実施するための形態】
【００１４】
（実施例１）
実施例１の電池アダプタについて説明する。図１は、実施例１の電池アダプタの構成を示す機能ブロック図である。
【００１５】
同図に示す電池アダプタ１は、センシング部１１、測定部１２、制御部１３、信号送出部１４、情報提示部１５、および電池１００を収納する収納部１６を備える。実施例１の電池アダプタ１は、電池アダプタ１から露出する情報提示部１５を備えて、情報提示部１５が電池１００のバッテリ残量に応じた情報を出力する。電池アダプタ１の筐体は乾電池の規格に沿った外形であり、筐体内に電池１００を収納し、懐中電灯、リモコン、時計などの乾電池を使用する様々な電子機器で利用可能である。
【００１６】
センシング部１１は、センサを備えてセンサデータを取得し、センサデータを制御部１３に送信する。実施例１では、センシング部１１が加速度センサを備えて電池アダプタ１を使用している電子機器の動きを検知する。
【００１７】
測定部１２は、電池１００のバッテリ残量を測定し、測定結果を制御部１３に送信する。
【００１８】
制御部１３は、センシング部１１からセンサデータを受信し、センサデータに基づいてイベントを発生するか否かを判定し、イベントを発生すると判定したときは、イベントの処理を開始する。制御部１３は、センシング部１１から受信したセンサデータから動きを検知したときは、信号送出開始イベントを発生し、信号送出部１４に測定部１２の測定結果に応じた信号の送出開始を指示する。あるいは、制御部１３は、センシング部１１から受信したセンサデータから所定の時間動きを検知できないときは、信号送出停止イベントを発生し、信号送出部１４に信号の送出停止を指示する。制御部１３は、イベントの発生条件とイベントの処理内容を予め格納している。なお、後述の実施例で示すように、イベントの発生条件とイベントの処理内容を外部から受信して制御部１３に登録してもよい。
【００１９】
信号送出部１４は、制御部１３からの指示に従って信号を送出する。例えば、信号送出部１４がＬＥＤを備えて発光し、ＬＥＤ光の発光回数、発光強度、発光色によりバッテリ残量を表現する。信号送出部１４は電気信号を送出してもよい。
【００２０】
情報提示部１５は、電池アダプタ１の筐体外部にまで延びた柔軟な素材で形成された管であり、信号送出部１４が送出した信号を電池アダプタ１の外部に伝達する。例えば、情報提示部１５として光ファイバを用い、信号送出部１４のＬＥＤの発光を外部に伝達する。電池アダプタ１を電子機器の電池ケースに収納したときに電池ケースにわずかに存在する隙間から情報提示部１５を露出させると、ユーザは電池ケースを開けずに情報を確認することができる。電子機器の電池ケースの蓋に穴を開けて情報提示部１５を露出させてもよい。なお、情報提示部１５が電気信号を出力してもよい。情報提示部１５は、筐体外部に露出させるために細く弾力性のある形状・材質が望ましい。情報提示部１５は、フレキシブルケーブルなどのように柔軟性のある面状であってもよい。
【００２１】
収納部１６は、電池１００を収納する。収納部１６に電池１００を収納すると、電池１００のプラス電極と電池アダプタ１のプラス電極が導通し、電池１００のマイナス電極と電池アダプタ１のマイナス電極が導通する。また、電池１００が電池アダプタ１が備える上記の各部に対しても電力を供給してもよい。
【００２２】
電池１００として市販の規格に沿った乾電池を用いることができる。例えば、電池アダプタ１の外形が単３形の乾電池の形状である場合、収納部１６を単４形の乾電池が収納できる形状にする。あるいは、後述する実施例のように、電池１００を収納する収納部１６の代わりに電源を備えてもよい。
【００２３】
続いて、実施例１の電池アダプタの動作について説明する。
【００２４】
図２は、電池アダプタの処理の流れを示すフローチャートである。
【００２５】
センシング部１１は、センサデータを計測して制御部１３に送信する（ステップＳ１１）。
【００２６】
制御部１３は、受信したセンサデータに基づいてイベントを発生する否かを判定する（ステップＳ１２）。例えば、センシング部１１が動きを検知したときには信号送出開始イベントを発生させ、センシング部１１が所定の時間動きを検知しないときには信号送出停止イベントを発生させる。
【００２７】
イベントが発生したときは、制御部１３は、発生したイベントの処理を開始する（ステップＳ１３）。例えば、信号送出開始イベントが発生したときは、制御部１３は信号送出部１４に対して信号送出を指示し、信号送出部１４が発光することで、電子機器の電池ケースから露出した情報提示部１５はバッテリ残量に応じて発光する。また、信号送出停止イベントが発生したときは、制御部１３は信号送出部１４に対して信号送出の停止を指示し、信号送出部１４は発光を停止する。
【００２８】
以上の説明したように、本実施の形態によれば、動きを検知するセンシング部１１と、バッテリ残量を測定する測定部１２と、動きを検知したときにバッテリ残量に応じた発光を信号送出部１４に指示する制御部１３と、信号送出部１４の発光を電子機器の電池ケースの外に伝達する情報提示部１５を備えることにより、ユーザが電池アダプタ１を使用している電子機器を持ち上げると、電池ケースから露出した情報提示部１５が電池１００のバッテリ残量に応じて発光するので、電池ケースの蓋を開けなくても容易にバッテリ残量を確認することが可能となる。
【００２９】
ＬＥＤの発光に消費される電力は、Ｂｌｕｅｔｏｏｔｈ（登録商標）を用いた１回の通信に消費される電力よりも小さいため、電池１００のバッテリを大きく消費することなく、ユーザに電池１００の情報を提示することができる。
【００３０】
電池アダプタ１がセンシング部１１や測定部１２を備えない形態であってもよい。信号送出部１４を電池１００の電力で動作させることで、電池１００のバッテリ残量が無くなったときには情報提示部１５が発光しなくなるので、ユーザは電池１００のバッテリ残量が０になったことを判断できる。
【００３１】
測定部１２が、バッテリ残量だけでなく、例えば電池１００の温度などを測定し、信号送出部１４が、その測定量に応じて発光するものでもよい。
【００３２】
（実施例２）
次に、実施例２の電池アダプタについて説明する。図３は、実施例２の電池アダプタの構成を示す機能ブロック図である。
【００３３】
同図に示す電池アダプタ２は、電池の規格に沿った外形を有し、センシング部２１、制御部２２、情報提示部２３、および電池１００を収納する収納部２４を備える。電池アダプタ２の情報提示部２３は電池アダプタ２の筐体内に収納されており、音や振動で情報を提示する。
【００３４】
センシング部２１は、電池１００のバッテリ残量を取得し、制御部２２に送信する。
【００３５】
制御部２２は、センシング部２１から受信したバッテリ残量が所定のしきい値以下となったときに通知イベントを発生し、情報提示部２３に通知音の再生開始を指示する。イベントの発生条件として時間帯を設定してもよい。イベントの発生条件に時間帯が設定されているときは、バッテリ残量が所定のしきい値以下で、現在時刻が設定された時間帯であるときに通知イベントを発生する。
【００３６】
情報提示部２３はスピーカを備え、制御部２２からの指示に従って通知音を出力する。
【００３７】
収納部２４は、第１の実施の形態と同様に、電池１００を収納する。
【００３８】
バッテリ残量が所定のしきい値以下になると通知音が出力されるので、ユーザは、電子機器の電池ケースを開けなくてもバッテリ残量が低下したことを知ることができる。例えば目覚まし時計に電池アダプタ２を使用すると、ユーザは残りの電池容量を気にすることなく安心して目覚まし時計を使用することができる。
【００３９】
（実施例３）
次に、実施例３の電池アダプタについて説明する。実施例３の電池アダプタの外形および機能ブロック図は実施例２の図３と同様であるので重複する説明は省略する。
【００４０】
センシング部２１は加速度センサを備えて動きを検知する。
【００４１】
情報提示部２３はスピーカを備えて、指定された音声を出力する。
【００４２】
制御部２２には、イベントの発生条件に動きの方向を設定し、イベントの処理内容に出力する音声ファイルを設定しておく。例えば、静止状態で加速度が検出されたときに発車に合わせた音声ファイルを出力するイベントを設定しておく。あるいは、減速して停止したことが検出されたときに停止に合わせた音声ファイルを出力するイベントを設定しておく。
【００４３】
実施例３の電池アダプタ２をラジコンや鉄道模型に使用することで、発車や停車に合わせた発話をさせることができる。
【００４４】
センシング部２１にマイクを備えて、制御部２２はマイクが音声を入力したときに、入力した音声を情報提示部２３から出力してもよい。センシング部２１はマイクの代わりに無線通信機能を備えて、無線通信により受信した音声ファイルを出力してもよい。
【００４５】
（実施例４）
次に、実施例４の電池アダプタについて説明する。実施例４の電池アダプタの外形および機能ブロック図は実施例２の図３と同様であるので重複する説明は省略する。
【００４６】
センシング部２１は無線通信機能を備えて無線通信により操作コマンドを受信する。無線通信方式としては例えばＢｌｕｅｔｏｏｔｈを用いることができる。センシング部２１は、スマートフォンなどの携帯端末から送信された操作コマンドを受信する。
【００４７】
情報提示部２３は圧電素子を備えて、制御部２２からの指示により振動する。
【００４８】
制御部２２には、イベントの発生条件に操作コマンドを受信することを設定し、イベントの処理内容に操作コマンドに対応する情報提示部２３への指示を設定しておく。例えば、振動オンの操作コマンドを受信したときに圧電素子の振動をオンにするイベントを設定しておく。あるいは、振動オフの操作コマンドを受信したときに圧電素子の振動をオフにするイベントを設定しておく。
【００４９】
実施例４の電池アダプタ２をテレビなどのリモコンに使用することで、携帯端末から振動オンの操作コマンドを送信すると電池アダプタ２が振動するので、リモコンの位置を特定することができる。あるいは、情報提示部２３が圧電素子の代わりにスピーカを備えて、操作コマンドにより電子音等を出力させてもよい。
【００５０】
（実施例５）
次に、実施例５の電池について説明する。図４は、実施例５の電池の構成を示す機能ブロック図である。
【００５１】
同図に示す電池３は、乾電池の規格に沿った外形を有し、電源３１、電源制御部３２、センシング部３３、制御部３４、および無線通信部３５を備える。実施例５の電池３は、センシング部３３が取得したセンサデータに基づいて外部に供給する電力を制御する。
【００５２】
実施例５は、電池を収納する収納部の代わりに電源３１を備えて、外部に電力を供給する。実施例１〜４と同様に、電池を収納する収納部を備えてもよいし、実施例１〜４の電池アダプタが収納部の代わりに電源を備えてもよい。
【００５３】
電源制御部３２は、制御部３４の指示により、電池３が外部に供給する電力のオンオフを制御する。
【００５４】
センシング部３３はマイクを備えてユーザが発声した音声を受信し、制御部３４に送信する。
【００５５】
制御部３４は、受信した音声を解析し、イベントの発生条件に該当するときは対応するイベントを発生する。例えば、「懐中電灯オン」と発声されたときに電力をオンにするイベントを設定しておく。制御部３４は、受信した音声を音声認識技術によって解析し、「懐中電灯をオンにする」という意味を含む音声した場合にイベントを発生させて、電源制御部３２に外部に供給する電力をオンにする指示を出す。
【００５６】
実施例５の電池３を懐中電灯に使用することで、停電時など懐中電灯の場所がわからない状況や、登山時・工事時などヘルメットに付けた懐中電灯を手を使わないでオンしたい状況で、ユーザは、「懐中電灯オン」と発声するだけで、懐中電灯を点灯させることができる。
【００５７】
続いて、イベントを登録する処理について説明する。
【００５８】
無線通信部３５はイベントの登録に使用される。ユーザは、サーバ（例えばスマートフォンなどの携帯端末）から無線通信部３５にイベント情報を送信することで電池３を制御するイベントを登録することができる。
【００５９】
図５は、イベントを登録する処理の流れを示すフローチャートである。
【００６０】
無線通信部３５は、サーバからイベントの発生条件とイベントの処理内容を受信すると（ステップＳ２１）、受信したイベント情報を制御部３４に登録する（ステップＳ２２）。
【００６１】
例えばイベントの発生条件としてユーザが「懐中電灯オン」と発声したときの音声データを受信し、イベントの処理内容として電源をオンにする制御コマンドを受信してイベント情報を登録する。制御部３４はイベント情報を予め保持しておいてもよい。実施例１〜４の電池アダプタも無線通信部を備えてイベントを登録できるようにしてもよい。
【００６２】
（実施例６）
次に、実施例６の電池について説明する。実施例６の電池の外形および機能ブロック図は実施例５の図４と同様であるので重複する説明は省略する。無線通信部３５が無くてもよいし、電源３１の代わりに電池を収納する収納部を備えてもよい。
【００６３】
センシング部３３は加速度センサを備える。
【００６４】
制御部３４は、センシング部３３から受信した加速度変化パターンから地震が発生したことを検出し、電源制御部３２に電源オフを指示する。
【００６５】
実施例６の電池３を石油ストーブに使用することで、地震が発生したときに、石油ストーブの電源ボタンが落下物で押下されることによる火災の発生を防止することができる。
【００６６】
（実施例７）
次に、実施例７の電池について説明する。実施例７の電池の外形および機能ブロック図は実施例５の図４と同様であるので重複する説明は省略する。無線通信部３５が無くてもよいし、電源３１の代わりに電池を収納する収納部を備えてもよい。
【００６７】
センシング部３３は加速度センサを備える。
【００６８】
制御部３４は、センシング部３３から受信した加速度変化パターンから電池３を入れた電子機器が把持されたことを検出し、電源制御部３２に電源オンを指示する。
【００６９】
実施例７の電池３を電動歯ブラシに使用することで、ユーザは、電動歯ブラシの電源スイッチを使用することなく、電動歯ブラシの電源をオンにできる。
【符号の説明】
【００７０】
１，２…電池アダプタ
１１，２１，３３…センシング部
１２…測定部
１３，２２，３４…制御部
１４…信号送出部
１５，２３…情報提示部
１６，２４…収納部
３…電池
３１…電源
３２…電源制御部
３５…無線通信部
１００…電池
【図１】
2016208612.tif 000003
【図２】
2016208612.tif 000004
【図３】
2016208612.tif 000005
【図４】
2016208612.tif 000006
【図５】
2016208612.tif 000007